(57)【要約】【課題】製品のサイズが最小化されつつディスプレイのサイズが最大化されて、信頼性が向上された携帯端末機を提供する。【解決手段】一例として、本体と、前記本体の下面と外周面を覆って、両方向に開閉されるように設けられたカバー部と、中心部は前記本体の上面に露出され、両側部は前記カバー部の開閉によって前記カバー部の内部から引込・引出が可能であるように設けられるフレキシブルディスプレイ部と、前記カバー部が両方向にスライディングされて同時に開放または閉鎖されるように設けられるヒンジ部と、を含む携帯端末機が開示される。【選択図】図２
2012134971.tif 000002
【特許請求の範囲】
【請求項１】
本体と、
前記本体の下面と外周面を覆って、前記の本体の中央から両方向に開閉されるように設けられるカバー部と、
中心部及び両側部を備え、前記の両側部は前記カバー部の開閉に応じて前記カバー部の内部から引込・引出が可能であるように設けられるフレキシブルディスプレイ部と、
前記カバー部が前記の本体の中央から両方向にスライドされて開放または閉鎖されるように設けられるヒンジ部と、を含む携帯端末機。
【請求項２】
前記カバー部は第１カバー及び第２カバーを含み、
前記ヒンジ部は、
前記第１カバーに接続され、両側端にレールが形成された第１プレートと、
前記第１プレート上に配置されて、曲線状の第１スリット孔が形成され、前記レールに沿ってスライド可能に設けられた第２プレートと、
前記第２カバーに接続され、前記第２プレート上に配置されて、直線状の第２スリット孔が形成され、前記レールに沿ってスライド可能に設けられた第３プレートと、
一方の片側は前記第１プレートに回転可能に接続されて、中心部は前記第２プレートに回転可能に接続され、他方の片側は前記第１スリット孔及び前記第２スリット孔に挿入される掛り突起を有する回転モジュールと、を含む請求項１に記載の携帯端末機。
【請求項３】
前記回転モジュールは、
一方の片側が前記第１プレートに回転可能に結合される第１回転部と、
一方の片側に前記掛り突起が形成されて、中心部は前記第２プレートに回転可能に接続される第２回転部と、
前記第１回転部の他方の片側と前記第２回転部の他方の片側との間に接続される圧縮バネと、を含む請求項２に記載の携帯端末機。
【請求項４】
前記第２プレート及び前記第３プレートがスライドされる場合、
前記回転モジュールは、前記第２プレートと前記第３プレートをスライドさせ、
前記掛り突起は、前記第１スリット孔及び前記第２スリット孔に沿って移動する請求項２に記載の携帯端末機。
【請求項５】
前記カバー部は、第１カバー及び第２カバーを含み、
前記カバー部の内部と前記フレキシブルディスプレイ部の両側部のうち一方の片側との間に接続される弾性体をさらに含む請求項１に記載の携帯端末機。
【請求項６】
前記第１カバーは、ガイド部を更に含み、
前記ガイド部は、前記第１カバーが閉じる方向又は閉まる方向にそれぞれ移動する際に、前記フレキシブルディスプレイ部が引き込み又は引き出される経路に沿って形成された曲面を有する請求項５に記載の携帯端末機。
【請求項７】
前記弾性体は、バネを含む請求項５に記載の携帯端末機。
【請求項８】
前記カバー部は、第１カバーを含み、
前記フレキシブルディスプレイ部の両側部のうち一方の片側部は、ＢｔｏＢコネクタ、ＺＩＦコネクタまたはＦ−ＰＣＢハンダ付け接続を介して前記カバー部の内部面に接続される請求項１に記載の携帯端末機。
【請求項９】
前記第１カバーは、ガイド部をさらに有しており、
前記ガイド部は、前記第１カバーが閉じる方向又は閉まる方向にそれぞれ移動する際に、前記フレキシブルディスプレイ部が引き込み又は引き出される経路に沿って形成された曲面を有する請求項８に記載の携帯端末機。
【請求項１０】
本体と、
前記本体の下面と外周面を覆って、前記の本体の中央から開放可能なカバー部と、
前記カバー部の開閉によって前記カバー部の内部から引込・引出が可能であるように構成された部分をそれぞれ備える第１入力部及び第２入力部と、
前記カバー部が前記の本体の中心から離れる方向にスライドされる際に開放位置に回転するように設けられるヒンジ部と、を含む携帯端末機。
【発明の詳細な説明】
【技術分野】
【０００１】
本発明は、携帯端末機に関するものである。
【背景技術】
【０００２】
最近において、更なる携帯性を備えた携帯端末機、例えば、携帯電話、スマートフォン、ＭＰ３プレーヤー、携帯マルチメディアプレイヤー（ＰＭＰ）などが商品化されている。そして、使用者に視覚的な経験或いは視覚的な体感を与えるために、前記の携帯端末機はディスプレイを備えており、使用者はディスプレイのサイズが更に大型化されたものを好む場合がある。
【０００３】
しかし、このようにディスプレイの大型化が要求される一方、携帯端末機の携帯性を維持するために、製品の全体的なサイズは小さいことが要求される。また、ディスプレイ上への映像表現の際に歪曲が生じないように信頼性が要求されている。
【発明の概要】
【発明が解決しようとする課題】
【０００４】
本発明は、ディスプレイのサイズと製品のサイズを調和させ、製品のサイズが最小化されつつディスプレイのサイズが最大化され、且つ信頼性が向上された携帯端末機を提供する。
【課題を解決するための手段】
【０００５】
本発明の一実施例による携帯端末機は、本体と、前記本体の下面と外周面を覆って、前記の本体の中心から離れる方向に開閉されるように設けられたカバー部と、前記カバー部の開閉によって前記カバー部の内部から引込・引出が可能であるように設けられてなる中心部及び両側部を備えるフレキシブルディスプレイ（ｆｌｅｘｉｂｌｅ  ｄｉｓｐｌａｙ）部と、前記カバー部が前記の本体の中心から離れる方向にスライドされる際に開放されるように設けられるヒンジ部と、を含む。
【０００６】
本発明の別の実施例による携帯端末機は、本体と、前記本体の下面と外周面を覆って、前記の本体の中心から離れる方向に開閉可能に設けられたカバー部と、前記カバー部の開閉によって前記カバー部の内部から引込・引出が可能であるように構成された部分をそれぞれ備える第１入力部及び第２入力部と、前記カバー部が前記の本体の中心から離れる方向にスライドされる際に開放位置に回転するように設けられるヒンジ部と、を含む。
【０００７】
また、前記カバー部は、第１カバー及び第２カバーを備え、前記ヒンジ部は、前記第１カバーに固定され、両側端にレールが形成された第１プレートと、前記第１プレートの上部に配置されて、曲線状の第１スリット孔が形成され、前記レールに沿ってスライドするように設けられた第２プレートと、前記第２カバーに固定されて前記第２プレートの上部に配置されて、直線状の第２スリット孔が形成され、前記レールに沿ってスライドするように設けられた第３プレートと、一側は前記第１プレートに回転可能に結合されて、中心部は前記第２プレートに回転可能に結合され、他側は前記第１スリット孔及び前記第２スリット孔に挿入される掛り突起を有する回転モジュールと、を含めてもよい。
【０００８】
また、前記回転モジュールは、一側が前記第１プレートに回転可能に結合された第１回転部と、一側に前記掛り突起が形成されて、中心部は前記第２プレートに回転可能に結合された第２回転部と、前記第１回転部の他側と前記第２回転部の他側との間に接続される圧縮バネと、を含めてもよい。
【０００９】
また、前記第２プレート及び前記第３プレートがスライドされる際、前記回転モジュールは前記回転モジュールの中心を軸にして回転する場合、前記第２プレートと前記第３プレートが同時にスライドされるようにし、前記掛り突起が前記第１スリット孔及び前記第２スリット孔に沿って移動するようにしてもよい。
【００１０】
また、前記カバー部は、第１カバー及び第２カバーを備え、前記第１カバー及び前記第２カバーのうち少なくとも一つは、その内部及び前記フレキシブルディスプレイ部の両側部のうち一側部の間に接続される弾性体をさらに有していてもよい。
【００１１】
また、前記第１カバー及び前記第２カバーのうち少なくとも一つは、前記フレキシブルディスプレイ部の両側部のうち一側部の引出の際に、前記弾性体において作用する弾性力の方向と逆方向に膨らんだ曲面を有するガイド部をさらに備え、前記曲面は前記フレキシブルディスプレイ部の両側部のうち一側部が引込・引出経路に沿って形成されてもよい。
【００１２】
また、前記弾性体は、バネを備えてもよい。
【００１３】
また、前記カバー部は、第１カバー及び第２カバーを含めて、前記フレキシブルディスプレイ部の両側部のうち一側部は、ＢｔｏＢ（Ｂｏａｒｄ  ｔｏ  Ｂｏａｒｄ）コネクタ、ＺＩＦ（Ｚｅｒｏ  Ｉｎｓｅｒｔｉｏｎ  Ｆｏｒｃｅ）コネクタまたはＦ−ＰＣＢ（Ｆｌｅｘｉｂｌｅ  Ｐｒｉｎｔｅｄ  Ｃｉｒｃｕｉｔ  Ｂｏａｒｄ）ハンダ付け接続を介して前記第１カバー及び前記第２カバーのうち少なくとも一つの内部面と電気機械的に接続されてもよい。
【００１４】
また、前記第１カバー及び前記第２カバーのうち少なくとも一つは、前記フレキシブルディスプレイ部の両側部のうち一側部が引込・引出される経路に沿って形成される曲面を有するガイド部をさらに備えてもよい。
【発明の効果】
【００１５】
本発明によると、製品のサイズは最小化されつつディスプレイのサイズは最大化されて、信頼性が向上された携帯端末機を提供することができる。
【図面の簡単な説明】
【００１６】
【図１】（ａ）は、本発明の第１実施例による携帯端末機のカバー部が閉じている状態を示す斜視図であり、図１（ｂ）は、図１（ａ）に示す携帯端末機の側面図である。
【図２】（ａ）は、図１（ａ）の実施例の携帯端末機のカバーが開けられている状態を示す斜視図であり、図２（ｂ）は、図２（ａ）に示す携帯端末機の側面図である。
【図３】図１（ａ）のI−Ｉ´線に沿った携帯端末機の断面図であり、図３（ｂ）は、図２（ａ）のI−Ｉ´線に沿った携帯端末機の断面図であり、図３（ｃ）は、図３（ａ）及び図３（ｂ）に示す第２カバーを拡大した断面図である。
【図４】図１に示す本発明の第１実施例による携帯端末機の内部構成を示すための透視斜視図である。
【図５】（ａ）は、本発明の第１実施例によるヒンジ部の斜視図であり、図５（ｂ）は、図５（ａ）に示すヒンジ部の動作を示す斜視図である。
【図６】本発明の他の実施例による携帯端末機の断面図である。
【図７】（ａ）は、本発明の携帯端末機の応用例を示す図であり、図７（ｂ）は、本発明の携帯端末機の応用例を示す図である。
【発明を実施するための形態】
【００１７】
以下、添付された図面を参考に、本発明のいくつかの実施例について、更に十分に詳細に説明する。しかし、本発明は、いくつかの異なる形態での具現が可能であり、ここで説明する実施例に限定されない。むしろ、これらの実施形態は、本発明の開示が完全になるように完全に提供されたものであって、本発明の属する技術分野における通常の知識を有する者に本発明の開示範囲を十分に示すであろう。本願明細書において、周知の特徴及び技術は、示された実施形態を不必要に不明確にすることを避けるために省略されることがある。
【００１８】
ここで使用される技術用語は、特定の実施形態を説明する目的のみであって、本願の発明の開示を限定するものでは無い。本願明細書に記載されるように、単数形「ａ」及び「ａｎ」、と「ｔｈｅ」は、文脈の前後関係から明らかに他のことを示さない限り、複数形も含むことが意図されている。更に、ａ、ａｎ等の用語は、量の限定を意味するものでは無く、むしろ、その付されたものの少なくとも一つの存在を意味する。更に、「第１」、「第２」等の用語の使用は、特定の順番を示すものでは無く、個々の要素を区別するために付け加えられる。更に、第１、第２等の用語の使用は、何らかの順番や重要性を示すのでは無く、むしろ、１つの要素を他の要素から区別するために使用される。また、本明細書で用いるところでは、用語「含む（ｃｏｍｐｒｉｓｅｓ）」及び／又は「含む（ｃｏｍｐｒｉｓｉｎｇ）」若しくは「包含する（ｉｎｃｌｕｄｅｓ）」及び／又は「を含む（ｉｎｃｌｕｄｉｎｇ）」は、言及された特徴、領域、整数、ステップ、操作、要素、及び／又は成分を具体的に記載する。しかし、これらの用語は、一つ以上の他の特徴、領域、整数、ステップ、操作、要素、成分及び又はその群を排除しない。
【００１９】
本願の明細書による発明の開示の目的上、「少なくとも各一つ」という用語は、この用語の後に列挙される要素の任意の組み合わせを意味し、列挙された要素の複合的な組み合わせを含む。例えば、「Ｘ、Ｙ及びＺのうち少なくとも一つ」という語句は、Ｘのみ、Ｙのみ、Ｚのみ或いはＸ、Ｙ及びＺから選択された２つ以上の要素の任意の組み合わせ（例えば、ＸＹＺ、ＸＺ、ＹＺ、ＸＹ等）を意味する。
【００２０】
ある要素が他の要素「の上に存在し（ｏｎ）」又は「と連絡され（ｃｏｎｎｅｃｔｅｄ  ｗｉｔｈ）」、「との間に接続され（ｃｏｎｎｅｃｔｅｄ  ｂｅｔｗｅｅｎ）」、「に接続され（ｃｏｎｎｅｃｔｅｄ  ｔｏ）」ていると記載されている場合、その要素は前記他の他の要素の直接上に存在するか、又は前記の他の要素と直接に連絡されるか、直接的に他の要素との間に接続されるか、若しくは直接的に他の要素に接続される可能性があり、或いは、介在する要素が存在し得ることを理解するであろう。これとは対照的に、ある要素が他の要素「の上に直接的に存在する（ｄｉｒｅｃｔｌｙ  ｏｎ）」又は「に直接的に接続される（ｄｉｒｅｃｔｌｙ  ｃｏｎｎｅｃｔｅｄ  ｔｏ）」と記載されている場合、介在する要素も層も存在しない。
【００２１】
異なるように定義されていない限り、本願明細書で用いられる全ての用語（技術的及び科学的用語を含む）は、本発明の分野における当業者に一般的に理解されるのと同じ意味を持つ。通常使用される辞書で定義される用語等の用語は、関連する技術及び本願明細書の開示の前後の文脈における意味と整合するように解釈されるべきであって、明確に定義されていない限り、理想的な或いは過度に文語的に解釈されるものでは無い。
【００２２】
図面において、同じ数字の参照符号は、同じ要素を示す。図面において、その形状、サイズ及び領域等は、明確さのために誇張されることがある。
【００２３】
本発明が属する技術分野にて通常の知識を有する者が本発明を容易に実施することができるように、本発明の好ましい実施例を以下のとおりに添付の図面を参照して詳しく説明する。
【００２４】
（実施例１）
以下では、本発明の第１実施例による携帯端末機の構成を説明する。
【００２５】
図１（ａ）は、本発明の第１実施例による携帯端末機１００のカバーが閉じている状態を示す斜視図である。図１（ｂ）は、図１（ａ）に示す携帯端末機１００の側面図である。図２（ａ）は、図１（ａ）の携帯端末機１００のカバーが開いている状態を示す斜視図である。図２（ｂ）は、図２（ａ）に示す携帯端末機１００の側面図である。図３（ａ）は、図１（ａ）のI−Ｉ´線に沿って切り取った携帯端末機１００の断面図である。図３（ｂ）は、図２（ａ）のI−Ｉ´線に沿って切り取った携帯端末機１００の断面図である。図３（ｃ）は、図３（ａ）及び図３（ｂ）に示す第２カバー１２３部分を拡大した断面図である。
【００２６】
図１（ａ）〜図３（ｃ）を参照すると、本発明の第１実施例による携帯端末機１００は、本体１１０、カバー部１２０、フレキシブルディスプレイ部１３０及びヒンジ部１４０を含む。
【００２７】
本体１１０は、略棒（ｂａｒ）状の形状を有し、その内部に携帯端末機１００の回路及び機械的構成部品が配置される空間を有する。例えば、処理装置（ｐｒｏｃｅｓｓｏｒ）、メモリ、無線周波数（ＲＦ）送受信機、アンテナ等の回路部品は、前記携帯端末機１００内に組み込まれても良い。尚、本発明の第１実施例では、携帯端末機１００に回路的構成が含まれていることとして、回路的構成に対する詳しい説明は略する。
【００２８】
カバー部１２０は、本体１１０の下面と外周面を覆うように構成され、本体１１０の上面に設けられたフレキシブルディスプレイ部１３０が外部に露出するように形成される。また、カバー部１２０は、互いに反対方向にスライドする直線的な動作によって開くことができるように本体１１０に取り付けられる。
【００２９】
このカバー部１２０は、第１カバー１２１と第２カバー１２３を含めてもよい。前記の第１カバー１２１と第２カバー１２３は、互いに分離することもできる。本体１１０の領域を上部と下部に分けて説明する場合、第１カバー１２１は本体１１０の下部に設けられ、第２カバー１２３は本体１１０の上部に設けられることができる。この明細書において、前記の「上部」及び「下部」は、必ずしも、本体１１０の幾何学的な或いは地理的な配列若しくは方向を必ずしも表すのでは無い。むしろ、前記の「上部」及び「下部」は、本体１１０の第１の部分と第２の部分とを区別する目的においてのみ使用される。このように、前記の「上部」及び「下部」は、図２（ａ）に矢印に示された方向に限定することを意図するものでは無い。
【００３０】
第１カバー１２１と第２カバー１２３は、本体１１０の側面に沿って互いに反対方向にスライドする直線的な動作によって、カバー部１２０が開閉されるように設けられる。ここで、前記第１カバー１２１及び第２カバー１２３のそれぞれが本体１１０の中心から離れる方向（以下、この方向を「第１方向」又は「開き方向」という。）に直線的にスライド動作する場合、カバー部１２０は開放できる。前記第１カバー１２１及び第２カバー１２３のそれぞれが本体１１０の中心へ向かう方向（以下、この方向を「第２方向」又は「開じ方向」という。）に直線的にスライド動作する場合、カバー部１２０は閉鎖できる。前記第１カバー１２１及び第２カバー１２３が開いた状態又は閉じた状態のどちらか一方から始まる場合、前記の第１カバー１２１及び第２カバー１２３は直線的な動作を行ない、互いに反対方向へスライドする（以下、スライドによって直線的に移動する動作を「直線的なスライド移動」という）。
【００３１】
第１カバー１２１と第２カバー１２３は、ヒンジ部１４０の仕組み（ｍｅｃｈａｎｉｓｍ）によって、開き方向又は閉じ方向に同時に直線的な動作をするようにスライドすることができる。例えば、カバー部１２０が閉鎖された状態で第１カバー１２１が開き方向に直線的なスライド移動をすると、第２カバー１２３も開き方向に直線的なスライド移動をするが、第２カバー１２３の開き方向は、第１カバー１２１のスライド移動の方向に対して反対方向にすることができる。それによって、第１カバー１２１及び第２カバー１２３を同時に開くようにすることもできる。同様に、第２カバー１２３が閉じた状態から開き方向に直線的なスライド移動をすると、第１カバー１２１も第２カバー１２３の移動方向に対して反対の方向に直線的なスライド移動を行なうことによって、第１カバー１２１及び第２カバー１２３を同時に開放させることができる。
【００３２】
同様に、カバー部１２０が開放されている状態で第１カバー１２１が閉め方向に直線的なスライド移動をすると、第２カバー１２３も第１カバー１２１のスライド方向に対して反対方向に直線的なスライド移動することによって、第１カバー１２１及び第２カバー１２３を同時に閉鎖することもできる。同様に、第２カバー１２３が閉め方向に直線的なスライド移動をすると、第１カバー１２１も第２カバー１２３のスライド方向に対して反対方向に直線的なスライド移動をすることによって、第１カバー１２１及び第２カバー１２３を同時に閉鎖することもできる。
【００３３】
一方、第１カバー１２１と第２カバー１２３が開放または閉鎖される場合、フレキシブルディスプレイ部１３０の両側部がカバー部１２０の内部から引き出し或いは前記カバー部１２０の内部への引き込むことによって、フレキシブルディスプレイ部１３０の外部への露出部分の範囲を変えることが可能である。この構成に対しては後述する。ここで、カバー部１２０の「内部（ｉｎｓｉｄｅ）」は、ユーザに露出されない領域或いは携帯端末機の外側に露出されない領域を含み得る。これは、ユーザの手指や他の外部からの物体との接触によってレキシブルディスプレイ部１３０の両側面が損傷され或いは汚染されるリスクを低減することができる。
【００３４】
カバー部１２０は弾性体とガイド部を備えていてもよく、これらに関する詳しい説明は後述するフレキシブルディスプレイ部１３０の構成と併せて詳しく説明する。
【００３５】
また、カバー部１２０はヒンジ部１４０と結合される固定板を備えてもよく、これに関する詳しい説明は後述するヒンジ部１４０の構成と併せて詳しく説明する。
【００３６】
フレキシブルディスプレイ部１３０は、略直方体の形状を有して良い。尚、フレキシブルディスプレイ部１３０は、長さ方向に十分に延長された長さを有していても良い。フレキシブルディスプレイ部１３０は、中心部と両側部に分けることができ、両側部は第１側部と第２側部に分けることができる。フレキシブルディスプレイ部１３０の中心部は本体１１０の上部に配置され、カバー部１２０の開口部によって外部に露出できる。フレキシブルディスプレイ部１３０の第１側部と第２側部は、カバー部１２０の内部と機械的に接続されており、カバー部１２０の開閉の操作に応じてカバー部１２０の内部から引き出し或いはカバー部１２０の内部への引き込みが可能になるように設けられる。
【００３７】
上述のように、カバー部１２０は、弾性体とガイド部を有していてもよい。より具体的には、第１カバー１２１は第１弾性体１２１ａと第１ガイド部１２１ｂを備え、第２カバー１２３は第２弾性体１２３ａと第２ガイド部１２３ｂを備えるようにすることができる。
【００３８】
第１弾性体１２１ａの一方の片側は第１カバー１２１の底面に固定されて、もう一方の片側はフレキシブルディスプレイ部１３０の第１側部に接続される。この第１弾性体１２１ａは、バネを備えることもできる。よって、第１弾性体１２１ａは、第１カバー１２１とフレキシブルディスプレイ部１３０の第１側部との間を伸縮自在に、或いは弾性力を有するように接続することができる。
【００３９】
第１ガイド部１２１ｂは、フレキシブルディスプレイ部１３０の第１側部が引き込み或いは引き出される経路に沿って設けることができる。例えば、カバー部１２０が閉じている位置にある場合において、フレキシブルディスプレイ部１３０のうち、カバー部１２０の内側にある部分が、カバー部１２０が開かれると第１ガイド部１２１ｂ及び第１カバー１２１との間のスペース内を移動して露出されるように、第１ガイド部１２１ｂは、第１カバー１２１の内側縁端に設けられていてもよい。
【００４０】
この第１ガイド部１２１ｂは、フレキシブルディスプレイ部１３０が第１ガイド部１２１ｂ及び第１カバー１２１間のスペースを円滑に通過できるように、形成された第１曲面を有していても良い。第１カバー１２１が本体１１０の中心から離れる方向にスライドする際、フレキシブルディスプレイ部１３０の第１側部は、第１カバー１２１の内部から引き出される。この際、フレキシブルディスプレイ部１３０への張力を維持するように第１弾性体１２１ａが伸びる。ここで、第１ガイド部１２１ｂの第１曲面は前記弾性力が作用する方向と反対方向に膨らんだ形態を有する。また、前記の第１曲面は、フレキシブルディスプレイ部１３０の第１側部が引き込まれ又は引き出される経路を一部提供し、前記の第１側部は、前記の第１曲面に沿って移動する。
【００４１】
第２弾性体１２３ａの一方の片側は第２カバー１２３の底面に固定されて、もう一方の片側はフレキシブルディスプレイ部１３０の第２側部に接続される。この第２弾性体１２３ａはバネを備えていてもよい。よって、第２弾性体１２３ａは第２カバー１２３とフレキシブルディスプレイ部１３０の第２側部との間を伸縮自在に、或いは弾性力を有するように接続することができる。
【００４２】
第２ガイド部１２３ｂは、フレキシブルディスプレイ部１３０の第２側部が引き込み或いは引き出される経路に沿って設けることができる。例えば、カバー部１２０が閉じている位置にある場合において、フレキシブルディスプレイ部１３０のうち、カバー部１２０の内側にある部分が、カバー部１２０が開かれると第２ガイド部１２３ｂ及び第２カバー１２３との間のスペース内を移動して露出されるように、第２ガイド部１２３ｂは、第２カバー１２３の内側上端に設けられてもよい。
【００４３】
この第２ガイド部１２３ｂは、フレキシブルディスプレイ部１３０が第２ガイド部１２３ｂ及び第２カバー１２３間のスペースをより円滑に通過できるように形成された第２曲面を有していても良い。第２カバー１２３が本体１１０の中心から離れる方向にスライドする際、フレキシブルディスプレイ部１３０の第２側部は、第２カバー１２３の内部から引き出される。この際、フレキシブルディスプレイ部１３０への張力を維持するように第２弾性体１２３ａが伸びる。ここで、第２ガイド部１２３ｂの第２曲面は、前記弾性力が作用する方向に対して逆方向に膨らんだ形態を有する。また、第２曲面は、フレキシブルディスプレイ部１３０の第２側部が引込又は引出される経路を一部提供し、第２側部は、前記の第２曲面に沿って移動する。
【００４４】
カバー部１２０が開く状態にスライドされつつ、フレキシブルディスプレイ部１３０がカバー部１２０から引き出される場合、第１弾性体１２１ａと第１ガイド部１２１ｂ、そして第２弾性体１２３ａと第２ガイド部１２３ｂは、カバー部１２０が閉まる状態にスライドされる際にフレキシブルディスプレイ部１３０が引き込められるように、前記フレキシブルディスプレイ部１３０が張力が作用している状態に維持されるように作用する。
【００４５】
以下では、本発明の第１実施例によるヒンジ部１４０に対して詳しく説明する。図４は、図１に開示された本発明の第１実施例による携帯端末機１００の内部構成を示す斜視図である。図５（ａ）は、本発明の第１実施例によるヒンジ部１４０の斜視図であり、図５（ｂ）は、図５（ａ）に示すヒンジ部１４０の動作を示す斜視図である。
【００４６】
ヒンジ部１４０に関する詳しい説明することに先立ち、カバー部１２０の固定板に対して簡略に説明する。カバー部１２０の固定板は、第１固定板１２１ｃと第２固定板１２３ｃを含めてもよい。ここで、第１固定板１２１ｃは、第１カバー１２１の内部底面に接続されてもよい。そして、第２固定板１２３ｃは、第２カバー１２３の内部の両側側面の間に接続されてもよい。
【００４７】
以下、本発明の実施例によるヒンジ部１４０の構成に関して説明する。
【００４８】
図４〜図５（ｂ）を参照すると、ヒンジ部１４０は、第１プレート１４１、第２プレート１４３、第３プレート１４５及び回転モジュール１４７を備えることができる。
【００４９】
第１プレート１４１は、第１固定板１２１ｃに接続され、第１プレート１４１の両側端にレール１４１ａが形成されても良い。
【００５０】
第２プレート１４３は、第１プレート１４１上に配置され、曲線状の第１スリット孔１４３ａが形成されてもよい。また、第２プレート１４３は、第１プレート１４１のレール１４１ａに沿って直線的なスライド移動が可能であるように第１プレート１４１に接続されてもよい。
【００５１】
第３プレート１４５は、第２固定板１２３ｃに接続され、第２プレート１４３上に配置されてもよい。また、第３プレート１４５は、直線状の第２スリット孔１４５ａが形成されてもよい。また、第３プレート１４５は、第１プレート１４１のレール１４１ａ及び第２プレート１４３の両側端に沿って直線的なスライド移動が可能であるように第１プレート１４１及び第２プレート１４３に接続されてもよい。
【００５２】
回転モジュール１４７の一方の片側は、第１プレート１４１に回転可能に接続されて、中心は第２プレート１４３に回転可能に接続され、他方の片側は第１スリット孔１４３ａと第２スリット孔１４５ａに嵌入される掛り突起１４７ｃを有するように構成されてもよい。
【００５３】
回転モジュール１４７の構成は、以下のようにより具体的に説明される。
【００５４】
回転モジュール１４７は、第１回転部１４７ａ、第２回転部１４７ｂ、掛り突起１４７ｃ及び圧縮バネ１４７ｄを備えてもよい。
【００５５】
第１回転部１４７ａの一方の側は、第１プレート１４１に回転可能に接続されてもよい。
【００５６】
第２回転部１４７ｂの一方の側には、掛り突起１４７ｃが形成されていてもよい。第２回転部１４７ｂの中心部は、第２プレート１４３に回転可能に結合されていてもよい。
【００５７】
掛り突起１４７ｃは、第２回転部１４７ｂの片側の上面から第１スリット孔１４３ａと第２スリット孔１４５ａを貫通する所定高さで突出する形状を有してもよい。掛り突起１４７ｃは、ヒンジ部１４０が直線的なスライド移動を行う際、第１スリット孔１４３ａと第２スリット孔１４５ａの経路に沿って移動することができる。この際、掛り突起１４７ｃは、第１スリット孔１４３ａと第２スリット孔１４５ａのそれぞれの縁端部分に係止することにより、ヒンジ部１４０のスライド動作が制限される。また、第１スリット孔１４３ａと第２スリット孔１４５ａの長さに応じて、第１カバー１２１と第２カバー１２３のスライドの可能な長さが制限される。
【００５８】
圧縮バネ１４７ｄは、第１回転部１４７ａの一方の片側と第２回転部１４７ｂの他方の片側の間に接続されてもよい。従って、圧縮バネ１４７ｄは、第１回転部１４７ａと第２回転部１４７ｂの間を伸縮自在に接続、或いは第１回転部１４７ａと第２回転部１４７ｂの間を弾力的に接続することができる。
【００５９】
続いて、本発明の第１実施例によるヒンジ部１４０の動作について説明する。
【００６０】
先ず、カバー部１２０が閉じられている位置から始まる場合、ヒンジ部１４０が直線的なスライド移動を行わない状態である。そのため、回転モジュール１４７の掛り突起１４７ｃは、第１スリット孔１４３ａと第２スリット孔１４５ａの第１端部に位置することができる。
【００６１】
次に、第１カバー１２１及び第２カバー１２３が開く方向に移動すると、ヒンジ部１４０も第１カバー１２１及び第２カバー１２３の移動方向に沿って直線的なスライド移動を行う。より具体的に説明すると、第１プレート１４１が第１カバー１２１と一緒にカバー部１２０が開く方向に直線的なスライド移動を行う際、第２プレート１４３及び第３プレート１４５も第２カバー１２３と一緒にカバー部１２０が開く方向に直線的なスライド移動を行う。この際、回転モジュール１４７は、第２プレート１４３に接続された中心部の周りに、或いは前記の中心部を軸にして回転して、第１回転部１４７ａの一方の片側も回転する。また、掛り突起１４７ｃは、第１スリット孔１４３ａと第２スリット孔１４５ａの第１端部から第２端部に移動する。以後、掛り突起１４７ｃが第１スリット孔１４３ａ及び第２スリット孔１４５ａの第２端部に到達して係止すると、回転モジュール１４７の回転が止まれると同時にカバー部１２０とヒンジ部１４０のスライディング動作が止まる。この時、カバー部１２０は開けられている状態になるので、フレキシブルディスプレイ部１３０の両側部は、カバー部１２０の内部から外部へ引き出される。この際、フレキシブルディスプレイ部１３０の露出される領域は、カバー部１２０が閉じた位置におけるフレキシブルディスプレイ部の外部に露出される領域よりも大きい。
【００６２】
続いて、第１カバー１２１及び第２カバー１２３が閉まる方向に移動すると、ヒンジ部１４０も第１カバー１２１及び第２カバー１２３の移動方向に沿って直線的なスライド移動を行う。より具体的に説明すると、第１プレート１４１が第１カバー１２１とともにカバー部１２０が閉じる方向に直線的なスライド移動を行う際に、第２プレート１４３及び第３プレート１４５も第２カバー１２３とともにカバー部１２０が閉める方向に直線的なスライド移動を行う。この際、回転モジュール１４７は、第２プレート１４３に接続されたその中心部を軸にして或いは前記の中心部の周りを回転して、第１回転部１４７ａの一方の片側も回転する。また、掛り突起１４７ｃは、第１スリット孔１４３ａと第２スリット孔１４５ａの第２端部から第１端部に移動する。以後、掛り突起１４７ｃが第１スリット孔１４３ａ及び第２スリット孔１４５ａの第１端部に到達して係止すると、回転モジュール１４７の回転が止まり、カバー部１２０とヒンジ部１４０のスライディング動作が止まる。この際、カバー部１２０は閉じられた位置にあるので、フレキシブルディスプレイ部１３０の両側部はカバー部１２０の内部に引込まれる。
【００６３】
前記の開閉動作により、第１カバー１２１と第２カバー１２３は共に開放または閉鎖され、フレキシブルディスプレイ部１３０の両側部は、カバー部１２０内へ引き込まれ、又はカバー部１２０の中から引き出される。
【００６４】
（実施例２）
以下、本発明の第２実施例に係る携帯端末機に対して説明する。
【００６５】
図６は、本発明の第２実施例に係る携帯端末機６００の断面図である。
【００６６】
図６に示す本発明の第２実施例による携帯端末機６００の構成及び動作原理は、第１実施例に係る携帯端末機１００の構成及び動作原理とほぼ同様である。但し、弾性体を用いてカバー部１２０とフレキシブルディスプレイ部１３０と接続した第１実施例の構成とは異なり、第２実施例ではカバー部１２０とフレキシブルディスプレイ部１３０をＢｔｏＢ（Ｂｏａｒｄ  ｔｏ  Ｂｏａｒｄ）コネクタを介して接続されることができる。
【００６７】
図６に示すように、フレキシブルディスプレイ部１３０の両側部のうち第１側部は、ＢｔｏＢ（Ｂｏａｒｄ  ｔｏ  Ｂｏａｒｄ）コネクタ１２２を介して第１カバー１２１と接続することができる。また、フレキシブルディスプレイ部１３０の第２側部も、ＢｔｏＢ（Ｂｏａｒｄ  ｔｏ  Ｂｏａｒｄ）コネクタ１２４を介して第２カバー１２３と接続することができる。接続構成としては、ＢｔｏＢ（Ｂｏａｒｄ  ｔｏ  Ｂｏａｒｄ）コネクタ１２２、１２４のみならず、ＺＩＦ（Ｚｅｒｏ  Ｉｎｓｅｒｔｉｏｎ  Ｆｏｒｃｅ）コネクタまたはＦ−ＰＣＢ（Ｆｌｅｘｉｂｌｅ  Ｐｒｉｎｔｅｄ  Ｃｉｒｃｕｉｔ  Ｂｏａｒｄ）ハンダ付け接続も可能である。
【００６８】
その他、第２実施例の携帯端末機６００の構成と動作原理は、第１実施例の携帯端末機１００と同様であるので、第２実施例の携帯端末機６００に関する詳しい説明は、第１実施例に係る携帯端末機１００に関する説明を参照されたい。
【００６９】
携帯端末機１００又は６００において、処理装置（図示せず）は、フレキシブルディスプレイ部の露出部分の程度に応じて表示される画像を調整する演算機能を有していても良い。例えば、カバー部１２０が開いた位置にある場合、フレキシブルディスプレイ部が最大の長さで露出されている時、処理装置はフレキシブルディスプレイ部に原画像の拡大版を表示させることも可能である。或いは、処理装置は、フレキシブルディスプレイ部に１以上の画像を表示させることも可能である。また、或いは、処理装置は、閉じられた状態の携帯端末機を用いて最大解像度で見ることができないワイドスクリーンビデオのエッジ部分等の付加的な画像の部分をフレキシブルディスプレイ部に表示させ、又は、サブタイトル、メニュー情報、画面の詳細や特徴、或いはフレキシブルディスプレイ部に表示された画像に関連する他の情報を表示させることも可能である。
【００７０】
（応用例）
本発明は、前記の実施例に限らず、様々な形態で実現することが可能である。図７（ａ）及び図７（ｂ）は、本発明の携帯端末機の応用例７００Ａ、７００Ｂを示す図である。
【００７１】
本発明の第１実施例による携帯端末機１００の構成と動作原理を用いて、図７（ａ）に示すように、両方向スライドキーパッドを有する携帯端末機７００Ａを具現することができる。この場合、カバー部１２０の第１カバー１２１及び第２カバー１２３を開くと、第１キーパッド７２０ａ及び第２キーパッド７２０ｂが露出されるようにすることができる。また、図７（ａ）の携帯端末機７００Ａは、キーの有用性を拡張することが可能であって、多様なキーの使用が可能な携帯端末機を具現することができる。
【００７２】
また、図７（ｂ）に示すように、一方向二重スライドキーパッドを有する携帯端末機７００Ｂの具現も可能である。キーパッドを２段に開閉することで携帯端末機７００Ｂのサイズを小さくすることができる。
【００７３】
本発明によると、閉めた状態では小型化されて携帯に容易であって、両方向にスライディングされて開いた状態ではディスプレイ面積が最大になり使用者への便宜性を更に向上できる。
【００７４】
以上で説明したことは本発明による携帯端末機を実施するための一つの実施例に過ぎないもので、本発明は上述した実施例に限定されず、以下の特許請求の範囲で請求するように本発明の要旨から逸脱することがなく当該発明の属する分野における通常の知識を有する者であれば誰でも多様な変更実施が可能な範囲まで本発明の技術的精神が及ぶと言える。
【符号の説明】
【００７５】
１００、７００Ａ、７００Ｂ：携帯端末機
１１０：本体
１２０：カバー部
１２１：第１カバー
１２２、１２４：ＢｔｏＢコネクタ
１２３：第２カバー
１３０：フレキシブルディスプレイ部
１４０：ヒンジ部
１４１：第１プレート
１４１ａ：レール
１４３：第２プレート
１４３ａ：第１スリット孔
１４５：第３プレート
１４５ａ：第２スリット孔
１４７：回転モジュール
１４７ａ：第１回転部
１４７ｂ：第２回転部
１４７ｃ：掛り突起
１４７ｄ：圧縮バネ
【図１】
2012134971.tif 000003
【図２】
2012134971.tif 000004
【図３】
2012134971.tif 000005
【図４】
2012134971.tif 000006
【図５】
2012134971.tif 000007
【図６】
2012134971.tif 000008
【図７】
2012134971.tif 000009